(57)【要約】【課題】暗所内等でも迅速かつ的確に着用可能な使い捨てオムツを提供する。【解決手段】使い捨てオムツの外側表面に手の指先の感覚で認識できることが可能な凹凸が現れるようにし、この凹凸によって着用補助者又は着用者が使い捨てオムツの使用に際して識別すべき情報を把握できるようにしたことを特徴とする。【選択図】      図１
2005046263.tif 000002
【特許請求の範囲】
【請求項１】
液体を吸収する吸収性を備え、装着時に肌側に接する内面と当該内面の反対側に位置する外面とを有する使い捨てオムツであって、
前記内面及び／又は前記外面の所定の位置に、種類の選定や使用態様の特定の案内をする案内用凹凸を備えており、
この案内用凹凸は、着用補助者又は着用者が触覚によって感知できる大きさで、かつ、使用に際して区別されるべき要素毎に割り当てられた輪郭形状を備えていることを特徴とする使い捨ておむつ。
【請求項２】
前記案内用凹凸は、点字、文字、絵柄の単独又は、これらの組合せにより構成されるものであることを特徴とする請求項１記載の使い捨てオムツ。
【請求項３】
前記案内用凹凸は、前記要素毎に割り当てられた場所に配置されていることを特徴とする請求項１又は２記載の使い捨てオムツ。
【請求項４】
前記使い捨てオムツには、後処理テープが固定又は着脱可能に取り付けられており、
前記案内用凹凸は、前記後処理テープ上に設けられていることを特徴とする請求項１から３いずれか記載の使い捨てオムツ。
【請求項５】
前記使い捨てオムツは、装着時に腹側に位置する前身頃及び／又は背側に位置する後身頃の両側縁において、少なくとも一対の使用時締結用のファスニングテープを有する開放型使い捨てオムツであり、
前記案内用凹凸は、前記ファスニングテープ上に設けられていることを特徴とする請求項１から４いずれか記載の使い捨てオムツ。
【請求項６】
前記使い捨てオムツは、前記前身頃又は前記後身頃の両側縁に沿って配置された前記ファスニングテープの着脱によって開放型使い捨てオムツとパンツ型使い捨てオムツとの相互変換が可能となっているものであり、
前記案内用凹凸は、前記ファスニングテープの取り付けられた身頃と関係付けられて配置されていることを特徴とする請求項５記載の使い捨てオムツ。
【請求項７】
前記使い捨てオムツは、装着時に肌側に位置する液透過性の内面シートと、外側に位置する液不透過性の外面シートと、前記内面シート及び前記外面シートの間に配置された体液の吸収を行なう吸収層と、から成り、
前記案内用凹凸は、前記外面シート及び／又は前記吸収層に形成された隆起構造及び／又は陥没構造によって構成されていることを特徴とする請求項１から６いずれか記載の使い捨てオムツ。
【請求項８】
下着又は使い捨てオムツと併用し、装着時に肌に接する上面と下着又は使い捨てオムツに接する下面とを有する尿取りパッドであって、
前記上面及び／又は下面の所定の位置に、種類の選定や使用態様の特定の案内をする案内用凹凸を備えており、
この案内用凹凸は、着用補助者又は着用者が触覚によって感知できる大きさで、使用に際して区別されるべき要素毎に割り当てられた輪郭形状を備えていることを特徴とする尿取りパッド。
【請求項９】
前記案内用凹凸は、前記尿取りパッドに固定又は着脱可能に取り付けられたミニテープ上に形成されていることを特徴とする請求項８記載の尿取りパッド。
【発明の詳細な説明】
【０００１】
【発明の属する技術分野】
本発明は、乳幼児又は大人用オムツとして使用される使い捨てオムツ及び尿取りパッドに関するものであり、更に詳しくは、触るだけで使用時に識別すべき情報を容易に認識できる使い捨てオムツ及び尿取りパッドに関する。
【０００２】
【従来の技術】
近年、印刷技術の発達に伴い、様々な印刷方法が開発されている。例えば、特許文献１には、絵柄の所望部分を発砲インキの層によって立体化したカラー立体印刷について開示されている。また、立体印刷は、特に視覚障害者対応の印刷物に有効であることから種々の立体印刷方法が開発されている。例えば、特許文献２にはスチレン・アクリル系樹脂及び表面改質剤から成る発砲樹脂層で形成された点字印刷物が、特許文献３にはスクリーン印刷方式によりＵＶ硬化型インキを盛り上げて立体印刷した絵柄カードが、それぞれ開示されている。
【０００３】
一方、乳幼児用又は大人の介護用のオムツについても、多様な使い捨てオムツが開発され、流通している。特に、乳幼児対応の使い捨てオムツについては、迅速にオムツ交換ができるように様々な工夫がなされている。例えば、特許文献４には、前身頃と後身頃の色を違えることにより、前身頃と後身頃とを一目で識別できる使い捨てオムツについて記載されている。
【０００４】
【特許文献１】
特開平９−３０１０３号
【特許文献２】
特開平８−２３８８３７号
【特許文献３】
特開平１０−１３３５６３号
【特許文献４】
特開平９−８４８２４号
【０００５】
【発明が解決しようとする課題】
しかしながら、このような使い捨てオムツは、視覚でしか前身頃と後身頃の識別ができないため、例えば、夜間において照明を消したままオムツの交換を行なう場合には、かかる色の違いに効果はなく、結果として、着用に時間を要してしまうことになる。
【０００６】
本発明は以上のような課題に鑑みてなされたものであり、その目的は、暗所内等でも迅速かつ的確に着用可能な使い捨てオムツ及び尿取りパッドを提供することにある。
【０００７】
【課題を解決するための手段】
上記のような課題を解決するために、本発明においては、使い捨てオムツや尿取りパッドの表面に手の指先の感覚で認識できることが可能な凹凸が現れるようにし、この凹凸によって着用者又は着用補助者が使い捨てオムツや尿取りパッドについての情報を手探りで把握できるようにしたことを特徴とする。
【０００８】
より具体的には、本発明は、以下のようなものを提供する。
【０００９】
（１）  液体を吸収する吸収性を備え、装着時に肌側に接する内面と当該内面の反対側に位置する外面とを有する使い捨てオムツであって、前記内面及び／又は前記外面の所定の位置に、種類の選定や使用態様の特定の案内をする案内用凹凸を備えており、この案内用凹凸は、着用補助者又は着用者が触覚によって感知できる大きさで、かつ、使用に際して区別されるべき要素毎に割り当てられた輪郭形状を備えていることを特徴とする使い捨ておむつ。
【００１０】
本発明によれば、使い捨てオムツに案内用凹凸が設けられている。この案内用凹凸は、使い捨てオムツの着用や使用の際に識別すべき要素、具体的には、サイズや吸収量、対応性別などの「使い捨てオムツの種類」や、使い捨てオムツの前後、向きなどの「使用態様を想定できる事項」といった情報を示している。かかる案内用凹凸は、暗所内であっても、又は、視覚障害を有する者であっても、着用に際して識別すべき事項を正確に認識することができるように、指先でふれてその形状が把握できるような大きさで、かつ、その有無や形状が触覚のみで認識できるようになっている。また、その配置箇所は、使用時において容易に触ることができるように位置づけられている。
【００１１】
案内用凹凸は、単独であっても、複数であっても構わない。例えば、サイズを示す案内用凹凸を設けると共に、前後を示す案内用凹凸を併存させることにより、着用補助者に有効な情報を複数提供することができる。
【００１２】
なお、本明細書において「着用者」とはオムツの着用をする者、例えば、乳児や寝たきりの病人などをいい、「着用補助者」とはそのような者にオムツの着用を介助する者をいう。
【００１３】
（２）  前記案内用凹凸は、点字、文字、絵柄の単独又は、これらの組合せにより構成されるものであることを特徴とする（１）記載の使い捨てオムツ。
【００１４】
本発明によれば、案内用凹凸を、点字や文字などで構成している。点字で構成した場合には、視覚障害者にとって、使い捨てオムツ使用に際しての大きな指針となる。一方、模様や文字で構成した場合には、案内用凹凸は触覚のみならず視覚によっても識別すべき事項を認識できるようになる。また、その形状によっては使い捨てオムツのアクセントとすることも可能であり、模様としての効果を発揮させることもできる。しかも、凹凸によって立体的な模様とできるため、視覚を有する着用補助者又は着用者の興味や関心を一層引くことができる。
【００１５】
なお、本発明においては文字や絵柄の構成は限定されるものではなく、また、その数も、単数であってもいくつか組み合わせて複数にしたものであってもよい。
【００１６】
（３）  前記案内用凹凸は、前記要素毎に割り当てられた場所に配置されていることを特徴とする（１）又は（２）記載の使い捨てオムツ。
【００１７】
本発明によれば、前記案内用凹凸が配置された位置によって、当該使い捨てオムツについての情報を把握できるようになっている。具体的には、案内用凹凸自体の形状を問わず、その配置された位置によって使い捨てオムツについての情報を把握できるようになっている。例えば、使い捨てオムツの前後を示す場合には、前身頃のみに案内用凹凸を設けることにより、その面が前身頃であり、着用時に腹側に位置する部分であることを把握させるようにすることができる。
【００１８】
（４）  前記使い捨てオムツには、後処理テープが固定又は着脱可能に取り付けられており、前記案内用凹凸は、前記後処理テープ上に設けられていることを特徴とする（１）から（３）いずれか記載の使い捨てオムツ。
【００１９】
本発明によれば、案内用凹凸を後処理テープ上に設けることにより、オムツ本体には何ら加工を加えることなく、案内用凹凸を設けることを可能としている。
また、後処理テープの位置を案内用凹凸の存在によって着用補助者等に認識させるようにすることもできる。
【００２０】
本明細書において、「後処理テープ」とは、使い捨てオムツを廃棄する際に、使い捨てオムツを丸めた状態を維持するための止着用テープとして使用ができるものであり、使い捨てオムツの外面シートに、固定若しくは着脱自在に取り付けられているものをいう。
【００２１】
（５）  前記使い捨てオムツは、装着時に腹側に位置する前身頃及び／又は背側に位置する後身頃の両側縁において、少なくとも一対の使用時締結用のファスニングテープを有する開放型使い捨てオムツであり、前記案内用凹凸は、前記ファスニングテープ上に設けられていることを特徴とする（１）から（４）いずれか記載の使い捨てオムツ。
【００２２】
本発明によれば、案内用凹凸がファスニングテープ上に設けられている。ここで、開放型使い捨てオムツとは、着用時に必ずファスニングテープを使用するものであることから、着用補助者又は着用者はあえて案内用凹凸を探さなくても自ずと案内用凹凸に触ることとなり、使い捨てオムツについての情報を識別することができる。
【００２３】
本明細書において、「ファスニングテープ」とは、開放型使い捨てオムツの前身頃又は後身頃の一方又は双方の両縁側に配置されたテープをいい、開放型使い捨てオムツの着用に際して所定の位置に止着するために用いられるものである。例えば、開放型使い捨てオムツの前記後身頃の両縁側の一部にファスニングテープの止着部位が突出して配置されている場合は、前身頃及び後身頃をそれぞれ着用者に当てた後、前記ファスニングテープを使い捨てオムツの前身頃の外面シートに止着することとなる。
【００２４】
なお、ファスニングテープは、粘着層を片面又は両面にもつ粘着テープ型と、フック部又はフック受け部を片面又は両面に持ち、繰り返し着脱可能なファスナー型と、があり、本発明においては、いずれを使用することもできる。
【００２５】
また、案内用凹凸は、リリーステープ上に設けられていてもよい。この「リリーステープ」とは、粘着テープ型ファスニングテープの粘着層を被膜するために、貼付けされるものであり、前記ファスニングテープ及び後処理テープから全面剥離するものと、一部しか剥離しないものとがあるが、いずれを使用することもできる。
【００２６】
（６）  前記使い捨てオムツは、前記前身頃又は前記後身頃の両側縁に沿って配置された前記ファスニングテープの着脱によって開放型使い捨てオムツとパンツ型使い捨てオムツとの相互変換が可能となっているものであり、前記案内用凹凸は、前記ファスニングテープの取り付けられた身頃と関係付けられて配置されていることを特徴とする（５）記載の使い捨てオムツ。
【００２７】
本発明によれば、開放型とパンツ型との相互変換が容易に行なえる使い捨てオムツにおいて、ファスニングテープの位置がすぐに把握できるようになっている。例えば、前身頃の両側部に沿ってファスニングテープを配置し、その着脱によってパンツ型と開放型の相互変換が可能となっている場合には、ファスニングテープの取り付けられている前身頃に案内用凹凸を設けることによって、着用補助者又は着用者が前身頃と後身頃とを誤って使い捨てオムツの着用をしてしまうことを防止することができる。
【００２８】
（７）  前記使い捨てオムツは、装着時に肌側に位置する液透過性の内面シートと、外側に位置する液不透過性の外面シートと、前記内面シート及び前記外面シートの間に配置された体液の吸収を行なう吸収層と、から成り、前記案内用凹凸は、前記外面シート及び／又は前記吸収層に形成された隆起構造及び／又は陥没構造によって構成されていることを特徴とする請求項１から６いずれか記載の使い捨てオムツ。
【００２９】
本発明によれば、案内用凹凸は、使い捨てオムツの外面シートのみ又は吸収層のみ、あるいはその双方に施された凹加工、凸加工、あるいは凹凸加工によって構成されている。例えば、吸収層に凹凸加工を施す場合には、この吸収層を覆う外面シートにもその凹凸が現れ、案内用凹凸となる。
【００３０】
（８）  下着又は使い捨てオムツと併用し、装着時に肌に接する上面と下着又は使い捨てオムツに接する下面とを有する尿取りパッドであって、前記上面及び／又は下面の所定の位置に、種類の選定や使用態様の特定の案内をする案内用凹凸を備えており、この案内用凹凸は、着用補助者又は着用者が触覚によって感知できる大きさで、使用に際して区別されるべき要素毎に割り当てられた輪郭形状を備えていることを特徴とする尿取りパッド。
【００３１】
本発明によれば、使い捨てオムツ自体ではなく、下着や使い捨てオムツに取り付けて使用する尿取りパッドに、案内用凹凸が設けられている。この案内用凹凸は、尿取りパッドを取り付ける際に識別すべき事項、具体的には、尿取りパッドの上下、サイズ、吸収量などを表している。また、この案内用凹凸は着用者が容易に触ることができる箇所に形成されているため、その有無が触覚のみで認識できるようになっている。
【００３２】
なお、この案内用凹凸は、尿取りパッドの表面に位置する外面シートに設けることも可能であり、また、内包される吸収層に設けて、外面シート表面に浮き出るようにすることも可能である。
【００３３】
（９）  前記案内用凹凸は、前記尿取りパッドに固定又は着脱可能に取り付けられたミニテープ上に形成されていることを特徴とする請求項８記載の尿取りパッド。
【００３４】
本発明によれば、尿取りパッド自体ではなく、別途取り付けるテープに案内用凹凸が設けられており、尿取りパッド自体に何ら加工することなく、案内用凹凸を設けることが可能となっている。
【００３５】
なお、このテープは、通常の尿取りパッドに取り付けるほか、上述した既に案内用凹凸を備えている尿取りパッドに取り付けることも可能であり、これにより一層多くの情報を尿取りパッドに付加することが可能となっている。
【００３６】
【発明の実施の形態】
本発明は、使い捨てオムツや尿取りパッドの着用や使用の際に必要となる情報に係るものを、手探りで分かるようにしたものである。即ち、着用や使用の際に必要となる情報を所定の位置にある所定の形状や形態の凹凸形状、若しくはその集合体である案内用凹凸で現したものである。このような本発明について、次に、図を参照しつつ説明する。
【００３７】
＜第１実施形態（パンツ型使い捨てオムツ）＞
図１は、本発明の第１実施形態であるパンツ型使い捨てオムツを示す斜視図である。
【００３８】
パンツ型使い捨てオムツ１は、内面シート４と外面シート５とを接着して成る使い捨てオムツ前駆体を、ウエスト開口部７ａ及び左右一対のレッグ開口部８ａを形成するように、音波シールや熱溶融などの手段で接合することにより構成される。
【００３９】
ウエスト部７及びレッグ部８は、フィット性を高めるために、伸縮部材９や伸縮部材１０が配置されている。具体的には、伸縮部材９や伸縮部材１０が、ウエスト開口部７ａやレッグ開口部８ａの両縁に平行に間隔を置いて、内面シート４と外面シート５との間にそれぞれ複数配置されている。そして、これらが伸縮するように伸長した状態でホットメルト接着剤により固定されている。
【００４０】
パンツ型使い捨てオムツ１は、前身頃２の外面シート５に案内用凹凸１１を有している。このため、パンツ型使い捨てオムツ１を使用する際に着用補助者が案内用凹凸１１に触れることにより、こちらの面が前身頃２であることを認識することができ、視認するまでもなく、パンツ型使い捨てオムツ１の前後を把握することができるようになっている。
【００４１】
［案内用凹凸の形成方法］
外面シート５に設ける案内用凹凸１１の形成方法は、触覚によって認識できる程度に凹凸が形成できるものであれば、特に限定されるものではない。例えば、図１のパンツ型使い捨てオムツ１のように隆起加工のみで形成するほか、図２に示すように陥没加工のみで形成してもよく、また、図３に示すように隆起加工と陥没加工の双方を組み合わせて形成してもよい。
【００４２】
［案内用凹凸の形状］
案内用凹凸１１の形状は、触覚によって識別すべき事項を着用補助者等に認識させることができるものであれば、様々な形状を採用することができる。特に、迅速な使い捨てオムツの着用という観点からは使用時において瞬時にその指示する要素を把握できるものが好ましく、例えば○や直線といったきわめて簡易なものであっても構わない。例えば、図４に示すように直線型にしてもよく、図５に示すように丸型にしてもよい。また、使い捨てオムツ全体とのバランスを考慮して、図６に示すように複数設けたものとしてもよく、更には、多数設けて模様のような構成とすることも可能である。
【００４３】
案内用凹凸１１の形状は、上述のような無機的なデザインとするほか、文字やイラストとすることもできる。例えば、図７に示すように、使用者が使い捨てオムツのサイズ「Ｓ（エス）」を読み取れるように文字を構成するように凹凸を設けてもよい。更に、図８（ａ）及び（ｂ）に示すように、視覚障害を有する人が触読可能な、点字としてもよい。
【００４４】
また、図９に示すように、イラストを構成することもできる。このようなイラストにすることにより、図１０に示すように、案内用凹凸１１を使い捨てオムツ１のアクセントとすることができる。なお、イラストを社名やハウスマークとすることにより、宣伝的効果をもたらすようにすることも可能である。
【００４５】
［案内用凹凸の形成箇所］
案内用凹凸は着用者が触感できるような箇所であれば、使い捨てオムツ本体に形成するほか、ワッペン状のシートやテープ等の上に別途形成し、これを使い捨てオムツに取り付けることもできる。
【００４６】
使い捨てオムツ本体に形成する場合には、外面シートのみに隆起加工等をするほか、吸収層のみ、あるいは外面シートと吸収層の双方に隆起加工等を施してもよい。例えば、吸収層に施す場合には、図１１に示すように、内面シート４及び外面シート５の間に内包される吸収層６に隆起加工することにより、図１２に示すように、外面シート５上に案内用凹凸１１が現れることとなる。また、図１３に示すように吸収層６に陥没加工を施したり、図１４に示すように吸収層６に隆起加工及び陥没加工を施したりすることによって、案内用凹凸を形成することもできる。
【００４７】
使い捨てオムツに別途取り付けるものに案内用凹凸１１を形成する場合には、例えば、図１５のように、不織布又はフィルムから成るワッペン状のシートにイラストを表す案内用凹凸１１を形成し、このシートを使い捨てオムツの前身頃２の外面シート５に貼り付けるようにすることができる。
【００４８】
また、図１６に示すように、後処理テープ１７を設け、ここに案内用凹凸１１を形成し、後身頃３の外面シート５上に固定若しくは着脱自在に取り付けるようにしてもよい。
【００４９】
なお、案内用凹凸や案内用凹凸を備えた後処理テープは、前身頃と後身頃のいずれに設けてもよく、また、前身頃と後身頃の双方に設けてもよい。
【００５０】
［案内用凹凸の加工方法］
凹凸に加工する方法としては、エンボス加工、固形印刷、サーモフォーム成型、発泡印刷、立体コピー、粗面化処理、押し込み加工等が挙げられるが、これ以外の方法でもよい。例えば、各種樹脂などからなる塗布液を塗工、乾燥して、凹凸状を設けることができる。樹脂としては、ポリエチレン、ポリメタクリル酸メチル、メタクリル酸ブチル、ポリエチレンテレフタレート、ポリビニルアルコール、塩化ビニル・酢酸ビニル共重合体、ポリアミド樹脂、メラミン樹脂、アクリル樹脂、ブチラール樹脂、及びセルロース誘導体などを使うことができる。塗工方法としては、スプレー塗工あるいはロール塗工などが挙げられる。印刷には、グラビア印刷、グラビアオフセット印刷、平板オフセット印刷、シルクスクリーン印刷などが挙げられる。樹脂、塗工方法、及び印刷は、これらに限定されるものではない。
【００５１】
（エンボス加工）
エンボス加工は製版・印刷が比較的容易であり、触読に適しているため、本発明に有効である。この方法によって案内用凹凸を形成する場合には、以下の手順による。
▲１▼薄い亜鉛などの板を２重にする。
▲２▼製版機で点字等の凹凸を付け、原版を作成する。
▲３▼原版の間に外面シート等を挟む。
▲４▼印刷機のローラーの間に外面シート等を通してプレスする。これにより、原版と同じ点字が外面シート等に印刷される。
【００５２】
（固型印刷）
固形印刷によって案内用凹凸を形成する場合には、多量に印刷することが可能となる。この方法による場合には、以下の手順による。
▲１▼亜鉛板に専用製版機で点字等の形に穴をあげて原版を作る。
▲２▼▲１▼の亜鉛板をドラムに取り付ける。
▲３▼回転するドラムの間に外面シート等を通す際に、ドラム内から硬質樹脂を吹き付けて、点字等を両面印刷する。
▲４▼樹脂が印刷された外面シート等を加熱し、点字等の形に膨らませる。
【００５３】
（サーモフォーム成型）
サーモフォーム成型により案内用凹凸を形成する場合には、緻密な模様や段重ねが可能となる。この方法による場合には、以下の手順による。
▲１▼厚紙や糸を張り付けて凸凹を付ける、又は、一般の印刷用の凸版を用いることにより、原版（母型）を作成する。
▲２▼合成樹脂製の特殊シートを▲１▼の原版に載せる。
▲３▼加熱機で▲２▼の特殊シートを軟らかくする。
▲４▼吸引して母型に吸着させ、特殊シートに原版と同じ形の凹凸を付ける。
▲５▼冷却する。これにより複製が完成する。
【００５４】
（発泡印刷）
発泡印刷により案内用凹凸を形成する場合には、変化に富んだ表現が可能となり、手触りが良好なものとすることが可能となる。この方法による場合には、以下の手順による。
▲１▼原図を製図する。
▲２▼写真製版でシルクスクリーン原版を作る、または、手作りによってシルクスクリーン原版を作る。
▲３▼発泡剤を混入した特殊なインクでシルクスクリーン印刷をする。
▲４▼印刷した用紙を加熱することによりインクを発泡させ、隆起させる。
【００５５】
（立体コピー）
立体コピーにより案内用凹凸を形成する場合には、手軽に製作でき、また、手触りも良好なものとすることができる。この方法で案内用凹凸を形成する場合には、以下の手順による。
▲１▼通常の方法でコピー用の原図を作る。
▲２▼通常の複写機（トナーの種類は限定されている）で、発泡剤を塗った特殊な外面シート等にコピーする。
▲３▼特殊な光を照射する現像機を通す。これにより光が黒色の部分に集中して過熱され、黒色の部分が隆起する。
【００５６】
＜第２実施形態（開放型使い捨てオムツ）＞
図１７は、本発明の第２実施形態である開放型使い捨てオムツ２０の展開状態を示す図であり、図１８は、開放型使い捨てオムツ２０の着用状態を示す図である。
【００５７】
開放型使い捨てオムツ２０は、着用者の腹側に位置する前身頃２１と着用者の背側に位置する後身頃２２を有している。開放型使い捨てオムツ２０は、内面シート２３及び外面シート２４との間に吸収層２５を内包し、吸収層２５は着用時において、股間部及びその他近傍を覆うように配されている。また、長手方向端部には一対のサイドフラップ２６、２７を有し、後身頃２２側のサイドフラップ２７の両側縁に、一対のファスニングテープ２８が固定されている。
【００５８】
開放型使い捨てオムツ２０は、着用時のフィット性を高めるために、ウエスト開口部３０の幅方向に伸縮部材３１が配置されている。また、レッグ開口部３２の長手方向に伸縮部材３３が配置されている。伸縮部材３１、３３は、内面シート２３及び外面シート２４との間にそれぞれ複数配置され、伸縮するように伸長した状態でホットメルト接着剤により固定されている。
【００５９】
前身頃２１の外面シート２４には案内用凹凸２９が設けられている。このため、開放型使い捨てオムツ２０を使用する際には、かかる案内用凹凸２９に触れることにより、着用補助者の触れた面が前身頃２１であることを認識することができるため、視認するまでもなく、使い捨てオムツの前後を把握することができる。
【００６０】
そして、着用補助者が開放型使い捨てオムツ２０を着用させる際には、着用補助者は案内用凹凸２９を触り、前後を認識する。案内用凹凸２９は前身頃２１の外面シート２４に設けられているため、これが着用者の腹側に位置するようにして、ウエスト開口部３０及び左右一対のレッグ開口部３２を形成するようにＸ−Ｘ軸を基準に着用者の身体を覆うようにして開放型使い捨てオムツ２０を折り、ファスニングテープ２８を外面シート２４の前身頃上部に止着することとなる。
【００６１】
案内用凹凸２９の形状、形成方法、形成箇所等は、上述したパンツ型使い捨てオムツ１と同様である。例えば、図１９のように前身頃に位置する吸収層２５に案内用凹凸４１を形成することができる。また、前身頃及び後身頃の双方に案内用凹凸を形成する場合には、図２０及び図２１のように案内用凹凸４２や案内用凹凸４３を形成することができる。
【００６２】
開放型使い捨てオムツは、パンツ型とは異なりファスニングテープを有することから、ここに凹凸を設けてもよい。具体的には、ファスニングテープ２８の拡大図である図２２に示すように、ファスニングテープ２８に案内用凹凸４５を形成する。そして、着用補助者等は、着用に際して必ずファスニングテープ２８を触ることから、自ずと案内用凹凸４５に触れることとなる。このため、あえて案内用凹凸４５を探さなくても案内用凹凸４５に自然に触れることができ、触覚のみで識別すべき事項を正確に認識することが可能となっている。また逆に、案内用凹凸４５によってファスニングテープ２８の位置を認識することもできるので、視覚を使わない使い捨てオムツの着脱が一層容易とすることができる。更に、当該案内用凹凸４５が、前記ファスニングテープ２８を止着する際の指先の滑り止め機能を果たすようにすることもできる。
【００６３】
＜第３実施形態（開放型及びパンツ型相互変換型オムツ）＞
図２３はファスニングテープによって開放型からパンツ型への変換が容易な使い捨てオムツ５０を示す図であり、図２４は、パンツ型へ成形された状態の使い捨てオムツ５０を示す図である。
【００６４】
図２３に示すように、ファスニングテープ５８は前身頃２１の一部であるサイドフラップ２６の両側縁に沿って設けられている。このため、このファスニングテープ５８を後身頃２２の一部であるサイドフラップ２７に連結することにより、図２４に示すようにパンツ型に成形することができる。この使い捨てオムツ５０は前後の判断が難しいものであるが、案内用凹凸４６が前身頃２１に設けられているため、着用補助者等はかかる案内用凹凸４６に触れることにより、ファスニングテープ５８が取り付けられているほうが前身頃２１であることがわかる。これにより着用補助者等は、前身頃５２が腹側に来るように着用者に当て、使い捨てオムツ５０を正しく着用させることができる。
【００６５】
＜第４実施形態（尿取りパッド）＞
図２５は本発明の第３実施形態である尿取りパッド６０の斜視図であり、図２６は尿取りパッド６０をＹ−Ｙ軸で切断した断面を示す図であり、図２７は尿取りパッド６０の他の実施形態を示す図である。
【００６６】
尿取りパッド６０は、着用時に陰部近傍に位置する前方部６１と臀部近傍に位置する後方部６２とを有している。
【００６７】
着用者の肌側に位置する内面シート６３及び着用者の背側に位置する外面シート６４との間に吸収層６５を内包し、吸収層６５は股間部及びその他近傍を覆うように配置されている。
【００６８】
尿取りパッド６０は、図２５から明らかなように、前方部６１の吸収層６５に案内用凹凸４７が設けられている。このため、尿取りパッド６０を使用する際には外面シート６４の上に現れた凹凸に触れることにより、着用者等は触れた面が前方部６１であることを認識することができ、視認するまでもなく、尿取りパッド６０の前後を把握することができる。また、案内用凹凸４７は、図４から図８に示したような案内用凹凸としてもよい。なお、案内用凹凸４７の配置場所は、尿取りパッド６０の外面シート６４上に形成することもできる。
【００６９】
また、上述のように、尿取りパッド自体に案内用凹凸を設けるほか、別途ミニテープを取り付け、このミニテープに案内用凹凸を設けるようにしてもよい。例えば、図２７のように、ミニテープ４８を尿取りパッド６０の外面シート６４に取り付けるようにする。なお、このミニテープ４８は、外面シート６４や内面シート６２のいずれかに取り付けることも可能であり、また双方に取り付けることも可能である。なお、案内用凹凸は、尿取りパッド自体又はミニテープのいずれか一方のみに設けてもよく、また、両方設けても構わない。
【００７０】
このように、尿取りパッド６０に案内用凹凸４７を設けることにより、暗所内であっても、あるいは、視覚障害を有する着用者又は着用補助者であっても、触覚のみで識別すべき事項を正確に認識でき、尿取りパッド６０の着用を適切かつ容易に行なうことができる。
【００７１】
＜使い捨てオムツ・尿取りパッドの材料＞
内面シート４、２３、６３には、親水性の不織布や開孔プラスチックなどの液透過性シートを用いることができる。ここでいう不織布は、スパンボンド、スパンレース、ニードルパンチ、メルトブローン、サーマルボンド、ケミカルボンド、エアースルーなどの製法で作られたもので、不織布の繊維には、ポリオレフィン系、ポリエステル系、ポリアミド系の繊維、又は、ポリエチレン、ポリプロピレンやポリエステルで形成された、シースコア型複合繊維、又は、サイドバイサイド型繊維を使うことができる。
【００７２】
外面シート５、２４、６４には、疎水性の不織布や、不透水性のプラスチックフィルム、これらを貼り合わせたシートなどを用いることができる。上記プラスチックフィルムは、フィラーを混入した後、延伸することで、通気性、透湿性を高めることができる。
【００７３】
吸収層６、２５、６５には、親水性繊維と高吸収性ポリマーから成るものを使用できる。親水性繊維としては、パルプ、レーヨン、アセテート、コットンなどの吸収性繊維、熱可塑性合成樹脂繊維を親水化した繊維などが挙げられる。また、保持した体液を漏らさないために、プラスチックフィルムを具備することができる。
【００７４】
伸縮部材９、１０、３１、３３には、天然ゴム、合成ゴム、又は熱可塑性合成樹脂からなるプラスチックシートを使用することができる。
【００７５】
【発明の効果】
本発明の使い捨てオムツ又は尿取りパッドによれば、着用補助者又は着用者が触覚によって認識可能な案内用凹凸を備えており、この案内用凹凸に触れることにより、暗所内等であっても、当該使い捨てオムツについての情報を把握することができ、迅速かつ適確に、適切な使い捨てオムツや尿取りパッドを着用することが可能となる。
【図面の簡単な説明】
【図１】本発明の第１実施形態に係るパンツ型使い捨てオムツを示す斜視図である。
【図２】陥没加工によって形成された案内用凹凸を有する本発明の第１実施形態に係るパンツ型使い捨てオムツを示す斜視図である。
【図３】隆起加工及び陥没加工によって形成された案内用凹凸を有する本発明の第１実施形態に係るパンツ型使い捨てオムツを示す斜視図である。
【図４】長方形の形状を有する案内用凹凸を示す正面図である。
【図５】丸型の形状を有する案内用凹凸を示す正面図である。
【図６】複数の案内用凹凸を有する本発明の第１実施形態に係るパンツ型使い捨てオムツを示す斜視図である。
【図７】文字の形状を有する案内用凹凸を示す正面図である。
【図８】点字の形状を有する案内用凹凸を示す正面図である。
【図９】イラストの形状を有する案内用凹凸を示す正面図である。
【図１０】イラストの案内用凹凸を有する本発明の第１実施形態に係るパンツ型使い捨てオムツを示す斜視図である。
【図１１】吸収体の隆起加工による案内用凹凸を有する本発明の第１実施形態に係る案内用凹凸を示す断面図である。
【図１２】吸収体に隆起加工による案内用凹凸を有する本発明の第１実施形態に係るパンツ型使い捨てオムツを示す斜視図である。
【図１３】吸収体に陥没加工による案内用凹凸を形成した本発明の第１実施形態に係る案内用凹凸を示す断面図である。
【図１４】吸収体に隆起加工及び陥没加工による案内用凹凸を形成した本発明の第１実施形態に係る案内用凹凸を示す断面図である。
【図１５】ワッペン状のシート上に直線型の案内用凹凸を有する本発明の第１実施形態に係るパンツ型使い捨てオムツを示す斜視図である。
【図１６】案内用凹凸を後処理テープ上に有する本発明の第１実施形態に係るパンツ型使い捨てオムツを示す斜視図である。
【図１７】本発明の第２実施形態に係る開放型使い捨てオムツを示す平面図である。
【図１８】本発明の第２実施形態に係る開放型使い捨てオムツの着用状態を示す斜視図である。
【図１９】吸収体に隆起加工による案内用凹凸を形成した本発明の第２実施形態に係る開放型使い捨てオムツを示す平面図である。
【図２０】丸型及び直線型の案内用凹凸を有する本発明の第２実施形態に係る開放型使い捨てオムツを示す平面図である。
【図２１】イラスト及び文字の案内用凹凸を有する本発明の第２実施形態に係る開放型使い捨てオムツを示す平面図である。
【図２２】直線型の案内用凹凸を有するファスニングテープを示す平面図である。
【図２３】本発明の第３実施形態に係る開放型及びパンツ型相互変換型使い捨てオムツを示す平面図である。
【図２４】図２３の開放型パンツ型相互変換型及び使い捨てオムツをパンツ型に成形した状態を示す斜視図である。
【図２５】吸収体に隆起加工による案内用凹凸を形成した本発明の第４実施形態に係る尿取りパッドを示す斜視図である。
【図２６】図２５に示す尿取りパッドの一部断面図である。
【図２７】案内用凹凸を形成したミニテープを取り付けた本発明の第４実施形態に係る尿取りパッドを示す斜視図である。
【符号の説明】
１、２０、５０  オムツ本体
２、２１  前身頃
３、２２  後身頃
４、２３、６３  内面シート
５、２４、６４  外面シート
６、２５、６５  吸収層
７  ウエスト部
７ａ、３０  ウエスト開口部
８  レッグ部
８ａ、３２  レッグ開口部
９、１０、３１、３３  伸縮部材
１１、１２、１３、１４、１６、２９、４０、４１、４２、４３、４５、
４６  ４７  案内用凹凸
１７  後処理テープ
２８  ５８  ファスニングテープ
６０  尿取りパッド
６１  前方部
６２  後方部
【図１】
2005046263.tif 000003
【図２】
2005046263.tif 000004
【図３】
2005046263.tif 000005
【図４】
2005046263.tif 000006
【図５】
2005046263.tif 000007
【図６】
2005046263.tif 000008
【図７】
2005046263.tif 000009
【図８】
2005046263.tif 000010
【図９】
2005046263.tif 000011
【図１０】
2005046263.tif 000012
【図１１】
2005046263.tif 000013
【図１２】
2005046263.tif 000014
【図１３】
2005046263.tif 000015
【図１４】
2005046263.tif 000016
【図１５】
2005046263.tif 000017
【図１６】
2005046263.tif 000018
【図１７】
2005046263.tif 000019
【図１８】
2005046263.tif 000020
【図１９】
2005046263.tif 000021
【図２０】
2005046263.tif 000022
【図２１】
2005046263.tif 000023
【図２２】
2005046263.tif 000024
【図２３】
2005046263.tif 000025
【図２４】
2005046263.tif 000026
【図２５】
2005046263.tif 000027
【図２６】
2005046263.tif 000028
【図２７】
2005046263.tif 000029